(57)【特許請求の範囲】
【請求項１】
無線アクセスネットワークによって同じ機能を有する少なくとも２つのコアネットワークに接続される共通ロケーションエリアを含み、無線アクセスネットワークが前記共通ロケーションエリア内の各端末からのパケット伝送をそれぞれのコアネットワークの容量に応じて前記少なくとも２つのコアネットワークのそれぞれ１つにスイッチするパケット交換ネットワークアーキテクチャであって、
それぞれの端末が、前記端末がコアネットワーク識別子フィールドを含むロケーションエリア識別子を受信することによって、スイッチされる前記同じ機能を有する少なくとも２つのコアネットワークを区別し、前記端末の伝送にコアネットワーク識別子を含む、パケット交換ネットワークアーキテクチャ。
【請求項２】
パケット交換移動体ネットワーク内で資源を割り当てる方法であって、共通ロケーションエリアに同じ機能を有する少なくとも２つのコアネットワーク資源を割り当てるステップ、パケット伝送を前記ロケーションエリア内のそれぞれの移動体ユーザ端末からそれぞれのコアネットワークの容量に応じたコアネットワークのそれぞれ１つにスイッチするステップとを含み、
それぞれの端末が、前記端末がコアネットワーク識別子フィールドを含むロケーションエリア識別子を受信することによって、スイッチされる前記同じ機能を有する少なくとも２つのコアネットワークを区別し、前記端末の伝送にコアネットワーク識別子を含む、方法。
【請求項３】
各コアネットワークがＶＬＲを含むＭＳＣを含み、それぞれのコアネットワークの容量がＶＬＲの容量によって決定される、請求項１に記載のパケット交換ネットワークアーキテクチャ。
【発明の詳細な説明】
【０００１】
【発明の分野】
本発明は、パケット交換ネットワークのための改良型ネットワークアーキテクチャに関する。
【０００２】
【発明の背景】
第２世代（２Ｇ）無線カバレージとも呼ばれるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）無線カバレージは今日、極めて広範囲にわたっている。第３世代（３Ｇ）無線カバレージとも呼ばれるＵＭＴＳ（Ｕｎｉｖｅｒｓａｌ  Ｓｙｓｔｅｍ  ｆｏｒ  Ｍｏｂｉｌｅ  Ｔｅｌｅｃｏｍｍｕｎｉｃａｔｉｏｎ）の導入時に、ＵＭＴＳ無線カバレージは都市エリアに限定されると予想される。したがってＵＭＴＳ無線カバレージはより広範なＧＳＭ無線カバレージエリアの一部をカバーするだけとなる。ＵＭＴＳカバレージエリア内でさえ、ＵＭＴＳ無線カバレージは連続すると予想できない。例えば、ＵＭＴＳに使用される周波数はＧＳＭ用の周波数より高く、ビル内部への周波数突き抜けはＧＳＭほど優れていない。その結果、全ＵＭＴＳカバレージエリア内でＵＭＴＳカバレージから外れる小さいポケット（ビル内部などの）が発生する。したがって、これらポケットではＧＳＭ無線カバレージしか使用できない。
【０００３】
デュアルモードＧＳＭとＵＭＴＳ移動体端末（移動体端末はＵＭＴＳではユーザ装置（ＵＥ）と呼ばれる）は２つの無線アクセスシステムのいずれかを用いて通信できる。ＵＭＴＳ無線リンクを介して通信するデュアルモード移動体端末がＵＭＴＳカバレージの圏外に出てＧＳＭカバレージのみのエリアに移動すると、ＧＳＭ無線リンクを介して通信を継続することは期待できるが、その結果、サービスは低下する。同様に、ＵＭＴＳカバレージを備えたエリアに移動するＧＳＭ無線カバレージだけのエリア内のデュアルモード移動体端末はＵＭＴＳ無線リンクに切り替えてサービスを向上させることを予期できる。
【０００４】
したがって、デュアルモード移動体端末が無線アクセスエリア内で移動するにつれて、無線アクセスのタイプの変化が使用可能な無線アクセスシステムが変化するにつれて予期できる。移動体端末が無線アクセスエリア間を移動する時、ルーティングエリアの更新が実行されて必要なサポートネットワークに特定の無線アクセスタイプに関連するルーティングエリア内の移動局の新しい位置を通知する。２つの無線アクセスシステム間の切り替えは追加のシグナリングを伴い、２つのシステム間の遷移の際の停止を引き起こすことがある。追加のシグナリングおよび停止の影響はネットワークアーキテクチャと選択されたプロトコルに依存する。
【０００５】
さらに、３Ｇ動作モードで動作している移動体端末が３Ｇカバレージの圏外に移動した場合、その結果、２Ｇコアネットワークとの通信の確立時にサービスが低下する。
【０００６】
本発明の目的は、パケット交換ネットワークのための改良型ネットワークアーキテクチャを提供することである。
【０００７】
【発明の概要】
本発明によれば、無線アクセスネットワークによって同じ機能を有する少なくとも２つのコアネットワークに接続されるロケーションエリアを含み、無線アクセスネットワークがロケーションエリア内の各端末からのパケット伝送を少なくとも２つのコアネットワークの１つにスイッチする（選択的に接続する）パケット交換ネットワークアーキテクチャを提供できる。
【０００８】
無線アクセスネットワークは、それぞれのコアネットワークの容量に応じて各端末からのパケット伝送を少なくとも２つのコアネットワークの１つにスイッチすることができる。
【０００９】
コアネットワークは、ＶＬＲを含むＭＳＣを含むことができ、それぞれのコアネットワークの容量がＶＬＲの容量によって決定される。
【００１０】
本発明によれば、パケット交換移動体ネットワーク内で資源を割り当てる方法であって、ロケーションエリアに少なくとも２つのコアネットワーク資源を割り当て、ロケーションエリア内の各移動体ユーザをコアネットワーク資源の１つに関連付け、ロケーションエリア内の移動体ユーザからのパケット伝送を関連するコアネットワーク資源の１つにスイッチする方法も提供することができる。
本発明について添付図面を参照しながら以下に例示的に説明する。
【００１１】
【好ましい実施形態の説明】
以下、第３世代（３Ｇ）移動体システムと第２世代（２Ｇ）移動体システムとの特定の非限定的な配備の例を参照しながら本発明について説明する。具体例では、２ＧシステムはＧＳＭ／ＧＰＲＳシステムで、３ＧシステムはＵＭＴＳシステムである。ただし、本発明はそのような特定の実施形態に限定されない。
【００１２】
図１はＧＳＭ無線アクセスエリア内でＵＭＴＳによって提供されると予想されるカバレージを示す。網掛け部分はＧＳＭカバレージのみのエリアを表す。網掛けでない部分はＧＳＭとＵＭＴＳカバレージのエリアを表す。したがって、エリア２の全体がＧＳＭカバレージを提供される。エリア２内のより小さいエリア４はＧＳＭカバレージに加えてＵＭＴＳカバレージを備えるよう企図される。ただし、参照番号６で示すポケットがＵＭＴＳカバレージエリア４内に存在するので、ポケット６内にはＧＳＭカバレージしか提供されない。
【００１３】
図１に示す無線カバレージをサポートする本提案のネットワークアーキテクチャを図２に示す。ＧＳＭ無線アクセスエリアとＵＭＴＳ無線アクセスエリアは、各々異なるＳＧＳＮ（ｓｅｒｖｉｎｇ  ＧＰＲＳ  ｓｕｐｐｏｒｔ  ｎｏｄｅ）と異なる移動体交換局（ＭＳＣ）にサービスされる、別個のロケーションエリアを有する独立したシステムとみなす。ＳＧＳＮはそれぞれの無線システムにサポートノードを提供してパケット交換通信をサポートする。
【００１４】
図２を参照すると、ＧＳＭ無線アクセスエリアがＬＡ１で示される第１のロケーションエリア２００によって定義され、ＵＭＴＳ無線アクセスエリアがＬＡ２で示される第２のロケーションエリア２０２によって定義されている。第２のロケーションエリアは図１に示すように実際には第１のロケーションエリアと一致する。
【００１５】
第１のロケーションエリアＬＡ１はＧＳＭ／ＧＰＲＳ  ＢＳＳ２０４に関連し、ＧＳＭ／ＧＰＲＳ無線アクセスシステムに無線アクセスネットワークを提供する。ＢＳＳ２０４はＡインタフェース２０６とＧｂインタフェース２０８とを介して２Ｇコアネットワーク２１４に接続されている。第２のロケーションエリアＬＡ２はＵＴＲＡＮ２１０に関連し、ＵＭＴＳ無線アクセスシステムに無線アクセスネットワークを提供する。ＵＴＲＡＮ２１０はＩｕインタフェース２１６とインタフェース２１８とを介して３Ｇコアネットワーク２１２に接続されている。
【００１６】
２Ｇコアネットワークは２Ｇ  ＭＳＣ２２０と、統合２Ｇビジタロケーションレジスタ（ＶＬＲ）２２２と、２Ｇ  ＳＧＳＮ２２４とを含む。２Ｇ  ＭＳＣはＡインタフェース２０６を介してＢＳＳ２０４に接続されている。２Ｇ  ＳＧＳＮはＧｂインタフェース２０８を介してＢＳＳ２０４に接続されている。ＭＳＣ２２０はマップＢインタフェース２３４を介してその統合２Ｇ  ＶＬＲに接続されている。
【００１７】
３Ｇコアネットワークは３Ｇ  ＭＳＣ２２６と、統合３Ｇ  ＶＬＲ２２８と、３Ｇ  ＳＧＳＮ２３０とを含む。３Ｇ  ＭＳＣ２２６はＩｕインタフェース２１６を介してＵＴＲＡＮ２１０に接続されている。３Ｇ  ＳＧＳＮ２３０はインタフェース２１８を介してＵＴＲＡＮ２１０に接続されている。３Ｇ  ＭＳＣ２２６はマップＢインタフェース２３２を介して統合３Ｇ  ＶＬＲ２２８に接続されている。
【００１８】
２Ｇおよび３Ｇコアネットワーク２１４と２１２の各々は当然他の機能ブロックも含む。ただし、それらの機能は本発明の実施態様には関連せず、当業者には明らかであるので図２には示していない。
【００１９】
図１から分かるように、ロケーションエリアＬＡ２は実際にはロケーションエリアＬＡ１と同じ地理的エリアの一部である。移動体端末がロケーションエリアＬＡ２内にある場合、ロケーションエリアＬＡ１内にもあることになる。ただし、ネットワークアーキテクチャの観点からは、ロケーションエリア２はロケーションエリア１とは異なるエリアとして扱われる。
【００２０】
移動局がロケーションエリアＬＡ２内で移動する時、図１のポケットによって示す３Ｇカバレージに入ったりそこから出たりする。図２のネットワークアーキテクチャでは、移動体端末がエリアＬＡ２内の３Ｇカバレージに入りまたはそこから出るたびに、ルーティングエリア更新を実行しなければならず、３Ｇカバレージが失われると、デュアルモード移動体端末が２Ｇモードで継続しなければならず、その結果、サービスが低下する。
【００２１】
このことの１つの欠点は、２Ｇ  ＭＳＣが６４ｋビット／秒技術を用いて実施される一方、３Ｇ  ＭＳＣはそれよりはるかに高いビットレートをサポートするという点である。３Ｇ機能を有する移動体端末が３Ｇ無線アクセスネットワークから２Ｇ無線アクセスネットワークに切り替えなければならない時には、サービスが結果的に低下する。２Ｇコアネットワークのインフラストラクチャを拡張して既存のＭＳＣをより高い仕様のバージョンと交換することは当然実行不可能である。
【００２２】
したがって、３Ｇコアネットワーク内に新しいＭＳＣと統合ＶＬＲとを提供して移動体端末の３Ｇ機能をサポートすることが必要である。
要するに、図２のネットワークアーキテクチャによって無線アクセスネットワークを容量一杯まで使用して３Ｇ機能を有する移動体端末をサポートすることはできない。
【００２３】
既存の２Ｇインフラストラクチャを用いて３Ｇ移動体端末の先進の能力の改善された利用を提供するために提案する新しいネットワークアーキテクチャが図３に示されている。図３では、図２に示す要素に対応する要素を識別するために図２と同様の参照番号が使用されている。
【００２４】
図３のネットワークアーキテクチャでは、図２の２つの別個のロケーションエリアは「重畳」されて共通のロケーションエリアを形成する。図３を参照すると、共通ロケーションエリアにはＬＡ３のラベルが付けられ、参照番号３００で示される。３Ｇカバレージエリアに対応するロケーションエリアＬＡ２も別個に定義される。共通ロケーションエリアＬＡ３は２Ｇセルから構成されるが、ネットワークアーキテクチャによって３Ｇ機能を有するこれらのセル内の移動体端末は、以下でさらに詳述するように、３Ｇ機能を有するコアネットワークに接続することができる。
【００２５】
ロケーションエリアＬＡ２は図２のように３Ｇセルからなり、３Ｇ機能を有するロケーションエリアＬＡ２内の移動体端末がＵＴＲＡＮ２１０無線アクセスネットワークを介して以前と同様に３Ｇコアネットワーク２１２に接続することを可能にする。
【００２６】
図２の２Ｇ  ＢＳＳ２０４は図３の実施態様では変更されており、したがって、図３の２Ｇ  ＢＳＳは参照番号３０２で示されている。２Ｇ  ＢＳＳ３０２は、２Ｇ  ＢＳＳ３０２を３Ｇコアネットワーク内の３Ｇ  ＭＳＣに接続するＡ’のラベルが付き参照番号３０６で示される追加のＡインタフェースを備える。２Ｇ  ＢＳＳ  ３０２も、２Ｇ  ＢＳＳ３０２を３Ｇコアネットワーク内の３Ｇ  ＳＧＳＮに接続するＧｂ’のラベルが付き参照番号３０４で示される追加のＧｂインタフェースを備える。
【００２７】
図３の新しいネットワークアーキテクチャによれば、ＢＳＳ３０２はパケット伝送を結合されたロケーションエリアＬＡ３  ３００内の移動体から２Ｇコアネットワークまたは３Ｇコアネットワークに向ける。同様に、逆方向にＢＳＳ３０２はパケット伝送を２Ｇまたは３Ｇコアネットワークから結合されたロケーションエリアＬＡ３内の移動体端末に向ける。
【００２８】
図３に示すネットワークアーキテクチャの実施態様によれば、ＢＳＳ３０２を含む無線アクセスネットワークはパケット伝送を結合されたロケーションエリアから２Ｇコアネットワークまたは３Ｇコアネットワークのいずれか１つに切り替える。
【００２９】
ＢＳＳ３０２を含む無線アクセスネットワークはいくつかの要因に応じて移動体端末からのパケット伝送を２つのコアネットワークのそれぞれ１つにスイッチすることができる。例えば、パケット伝送はパケットが発呼された移動体端末のタイプ、パケットが発呼された移動局の能力、またはロケーションエリアＬＡ３内で移動体端末が接続する２Ｇセルに応じて切り替えることができる。
【００３０】
交換機能を有する無線アクセスネットワークは結合されたロケーションエリアを実施する改良型ネットワークアーキテクチャの好ましい実施態様ではあるが、その他の実施態様も可能である。例えば、３Ｇ機能を含むように２Ｇコアネットワークを変更して、２Ｇと３Ｇ機能とを選択するために何らかの制御機構を２Ｇコアネットワーク内に追加して図２の標準ＢＳＳ２０４を使用することができる。この実施態様は２Ｇコアネットワークに変更を加える必要があるので、図３に示す実施態様より好ましくない。
【００３１】
ロケーションエリアＬＡ１とＬＡ２との「重畳」を実施可能にする技術的特徴は、２つのロケーションエリア内のユーザ端末をコアネットワーク内の２Ｇおよび３Ｇ機能の両方に接続する単一の無線アクセスネットワーク（ＢＳＳ３０２）を提供することである。
【００３２】
さらに、図３のネットワークアーキテクチャをロケーションエリアが一部だけ重なるネットワークアーキテクチャに拡張することができる。すなわち、上記の２Ｇ／３Ｇシナリオでは、３Ｇロケーションエリアは２Ｇロケーションエリアと完全に重なり、２Ｇロケーションエリアは３Ｇロケーションエリアより大きい。すなわち、３Ｇロケーションエリアは２Ｇロケーションエリアと完全に一致する。ただし、ロケーションエリアの「重畳」という原理をこの特性を示さないロケーションエリアに拡張してもよい。
【００３３】
さらに、ロケーションエリアの「重畳」という原理を３つ以上のロケーションエリアに拡張でき、３つ以上のコアネットワークに拡張することもできる。例えば、将来、ＢＳＳ３０２によって提供される無線アクセスネットワークは第４世代（４Ｇ）コアネットワークへの切り替える追加機能を有していてもよい。
【００３４】
さらに、このネットワークアクセスアーキテクチャを提供することは、ＢＳＳを無線アクセスネットワークとして使用することに限定されない。この技法はＵＴＲＡＮ２１０などの他の無線アクセスネットワークにも容易に適用できる。ＵＴＲＡＮ２１０はＢＳＳ３０２に加えて交換機能を備えることができ、例えば、３Ｇコアネットワークに加えて４Ｇコアネットワークを備えることができる。ＵＴＲＡＮは３Ｇコアネットワーク２１２と２Ｇコアネットワーク２１４との間で切り替える交換機能を提供することもできる。
【００３５】
図３のネットワークアーキテクチャ内ではＢＳＳ３０２はロケーションエリアＬＡ２に提供された２Ｇコアネットワーク２１４と３Ｇコアネットワーク２１２との間で切り替えるが、このために別の３Ｇコアネットワークを提供してもよい。
【００３６】
無線アクセスネットワークを用いてパケット伝送をロケーションエリアＬＡ３から２つの異なるコアネットワークの１つに切り替えるという原理はさらにより一般的に適用可能である。３Ｇの導入で、移動体端末はデュアル機能すなわち３Ｇ無線サービスが利用可能でないときに３Ｇ端末の代わりに２Ｇ端末として動作する能力を有する可能性が高い。切り替え可能な無線アクセスネットワークを使用することで、２Ｇロケーションエリア内にある３Ｇ機能を有する移動体端末を３Ｇコアネットワークに切り替えることができる。こうして３Ｇ機能を有する移動体端末は２Ｇロケーションエリアに接続されている３Ｇ機能であっても３Ｇ機能の一部を使用することができる。
【００３７】
このように、パケット伝送を異なる機能のコアネットワークに切り替えることができる無線アクセスネットワークの原理は、多数のロケーションエリアの重畳に依存せず、より一般的に単一のロケーションエリア内で複数の動作モードを有する移動体端末に適用される。
【００３８】
図３を再度参照すると、ロケーションエリアＬＡ１およびＬＡ２を含むロケーションエリアＬＡ３  ３００は２つのロケーションエリアの重畳による単一の地理的エリアと考えられることがわかる。したがって、単一のロケーションエリア識別子を用いて共通のロケーションエリアＬＡ３を識別できる。ただし、共通のロケーションエリア識別子が使用された場合には、共通ロケーションエリア３００内の移動体端末は通信が確立されるコアネットワークの１つ１つを区別することはできないであろう。
【００３９】
他の変形形態によれば、共通のロケーションエリア３００のためのロケーションエリア識別子は２Ｇコアネットワークと３Ｇコアネットワークとを区別するコアネットワーク識別子フィールドを備える。
【００４０】
図４（ａ）および４（ｂ）を参照すると、それぞれ２Ｇおよび３Ｇコアネットワークによって送信されるロケーションエリア識別子の実施態様が示されている。好ましくは、ロケーションエリア識別子は１６ビットのシーケンスである。この改良形態によれば、２Ｇコアネットワークと３Ｇコアネットワークとを区別するコアネットワーク識別子フィールドは１６ビットロケーションエリア識別子の第１ビットである。このシーケンスの第１ビットは０または１にセットされて２Ｇまたは３Ｇを示す。すなわち、ロケーションエリア識別子が発信されるコアネットワークがこのビットをセットする。ロケーションエリア識別子（ＬＡＩ）を含むロケーション識別子の残り１５ビットは同一である。したがって、ロケーションエリア識別子のコアネットワーク識別子フィールドはコアネットワークへのポインタである。
【００４１】
図４（ａ）を参照すると、２Ｇコアネットワークによって生成されたロケーションエリア識別子４０２は０にセットされた第１ビット４０４と、ロケーションエリア識別ＬＡＩ４０６とを有する。図４（ｂ）を参照すると、３Ｇコアネットワークによって生成されたロケーションエリア識別子４０３は１にセットされた第１ビットと、ロケーションエリア識別子値ＬＡＩ４１０とを有する。
【００４２】
ロケーションＬＡ３内の移動体端末は２Ｇまたは３Ｇ機能を有することができる。３Ｇ機能を有する移動体端末は第１ビット位置のビット０を無視することができる。これらの移動局は好ましくはデュアルモード機能を有するので、適当なロケーションエリア識別子を有する無線アクセスネットワークからのすべての同報メッセージはこれらの端末によって受信される。これはこれらの端末が２Ｇ、３Ｇコアネットワークを問わずすべての同報メッセージを受信するからである。２Ｇ機能しか有さない移動局はロケーションエリア識別子の第１ビットを読み出して、２Ｇコアネットワーク内で発信されたことを示すビットがセットされた同報メッセージだけを読み出す。
【００４３】
当然ながら、共通ロケーションエリア内の３Ｇ端末は、２Ｇ機能を有さない場合、ビットがロケーションエリア識別子の第１ビットを読み出して、同報メッセージが３Ｇコアネットワーク内で発信されたことを示すようにビットがセットされていることを確認する必要がある。
【００４４】
この好ましい実施例では、ロケーションエリア識別子は１６ビットのシーケンスで、コアネットワーク識別子フィールドは１ビットであるが、これは実施態様によって変えてもよい。ロケーションエリア識別子は任意のビット数で、コアネットワーク識別子フィールドは任意のビット数でよい。代替形態では、コアネットワーク識別子は一定の範囲内にあるロケーションエリア識別子値によって決定できる。
【００４５】
当然ながら、ロケーションエリアから３つ以上のコアネットワークがアクセス可能である場合、コアネットワーク識別子によって適当な値の範囲を提供することができる。
【００４６】
コアネットワーク識別子の使用は、単一のロケーションエリアが異なる機能のいくつかのコアネットワークによってアクセス可能である前述の構成でも有利である。
【００４７】
図３の好ましい実施態様を参照してすでに述べた、交換機能を有する無線アクセスネットワークの別の有用な実施態様を以下に図５を参照しながら説明する。図５では、図２に示す要素に対応する要素を識別するために図２と同様の参照番号が使用されている。
【００４８】
図５を参照すると、図２の２Ｇネットワークアーキテクチャが変更されて第２の２Ｇコアネットワーク５１４が導入される。図２のＢＳＳ３０２で表される無線アクセスネットワークは図５のネットワークアーキテクチャではさらに以下に詳述するＢＳＳ３０２の交換機能と同様の交換機能を有するＢＳＳ５００を含む無線アクセスネットワークに置き換えられている。
【００４９】
第２の２Ｇコアネットワーク５１４は、２Ｇ  ＭＳＣ５２０と、統合２Ｇ  ＶＬＲ５２２と、２Ｇ  ＳＧＳＮ５２４とを含む。２Ｇ  ＭＳＣ５２０はＡ’のラベルが付いた第２のＡインタフェース５０６を介してＢＳＳ５００に接続されている。２Ｇ  ＳＧＳＮ５２４はＧｂ’のラベルが付いた第２のＧｂインタフェース５０８を介してＢＳＳ５００に接続されている。ＭＳＣ５２０はマップＢインタフェース５３４を介して統合２Ｇ  ＶＬＲ５２２に接続されている。
【００５０】
この実施態様では、ＢＳＳ５００の交換機能を用いて負荷を２つの２Ｇコアネットワーク２１４および５１４に分散している。これはＢＳＳ５００が単一のコアネットワークよりも大きいアーラン容量を有する場合に特に有利である。コアネットワークを２重化することでＢＳＳ５００はその容量の限度付近で動作することができる。
【００５１】
図３のネットワークアーキテクチャ内で２Ｇ機能と３Ｇ機能とを区別するロケーションエリア識別子内にコアネットワーク識別子フィールドを含むための上記の技法を図５のネットワークアーキテクチャ内で使用してそれぞれの２Ｇコアネットワークを区別することができる。こうしてロケーションエリアＬＡ１内の移動体端末はロケーションエリア識別子の第１ビットを用いて２つのコアネットワーク２１４と５１４とを区別し、登録先コアネットワークに関連する同報メッセージを読み出すことができる。
【００５２】
より一般的には、移動体端末がＢＳＳ５００を介したコアネットワークへのランダムアクセス要求によってロケーションエリアＬＡ１内にその存在を登録すると、ＢＳＳ５００はこの要求を２つのコアネットワーク２１４および５１４の１つに転送する。
【００５３】
ランダムアクセス要求を確認して、適当なコアネットワークは移動体端末にすべての将来のパケット伝送で使用する識別子を提供する。この識別子は移動体端末によってすべてのパケット伝送に含まれ、パケット伝送を適当なコアネットワークに向けるためにＢＳＳ５００によって使用される。
【００５４】
図５のネットワークアーキテクチャは図３のネットワークアーキテクチャと組み合わせることができるので、２Ｇおよび３Ｇコアネットワークの各々が負荷を分散するための２重化パラレルネットワークを備えることができる。
【図面の簡単な説明】
【図１】  ＧＳＭカバレージエリア内のＵＭＴＳ無線カバレージの不統一な性質を示す図である。
【図２】  本提案の既存２Ｇ環境での３Ｇサービスの導入のためのネットワークアーキテクチャを示す図である。
【図３】  本提案の既存２Ｇ環境での３Ｇサービスの導入のための修正されたネットワークアーキテクチャを示す図である。
【図４】  （ａ）および（ｂ）は、共通のロケーションエリアをサービスするコアネットワークを区別するロケーションエリア識別子を示す図である。
【図５】  同じ機能のパラレルコアネットワーク資源を用いて単一のロケーションエリアをサポートするネットワークアーキテクチャを示す図である。
【図１】
0005121107.tif 000002
【図２】
0005121107.tif 000003
【図３】
0005121107.tif 000004
【図４】
0005121107.tif 000005
【図５】
0005121107.tif 000006